(57)【特許請求の範囲】
【請求項１】
複数のセパレータを備える電池収容アセンブリであって、隣接するセパレータは、スナップ嵌め構造を介して互いに取り外し可能に接続され、電池室を画定し、
前記スナップ嵌め構造は、
前記セパレータ内に形成されるスナップフィット溝と、
前記セパレータに対する取り外し可能部材として構成され、少なくとも２つの前記セパレータを接続するように、少なくとも２つの前記セパレータの前記スナップフィット溝にそれぞれフィットする、少なくとも２つの取り付け部を有するスナップフィットピンとを備える、電池収容アセンブリ。
【請求項２】
前記電池室の左壁および右壁のうちの少なくとも一方の中に貫通孔が形成されており、
前記セパレータは、前部および後部を有するセパレータ本体を備え、前記前部は前方収容溝を画定し、前記前方収容溝の左壁および右壁のうちの少なくとも一方の中に前方切り欠きが形成され、前記電池室は、隣接するセパレータのうちの一方の前記前方収容溝、および、前記隣接するセパレータのうちの他方の前記後部によって画定され、隣接するセパレータのうちの前記他方、および、前記隣接するセパレータのうちの前記一方の前記前方切り欠きによって前記貫通孔が画定される、請求項１に記載の電池収容アセンブリ。
【請求項３】
前記セパレータの前記後部が後方収容溝を画定し、前記前方切り欠きに対応する後方切り欠きが、前記後方収容溝の左壁および右壁のうちの少なくとも一方の中に形成され、前記電池室は、隣接するセパレータのうちの一方の前記前方収容溝、および、前記隣接するセパレータのうちの他方の前記後方収容溝によって画定され、前記貫通孔は、隣接するセパレータのうちの一方の前記前方切り欠き、および、前記隣接するセパレータのうちの他方の前記後方切り欠きによって画定され、
複数の前記前方切り欠きが配置されて、上下方向において互いから離間され、複数の前記後方切り欠きが配置されて、前記上下方向において互いから離間される、請求項２に記載の電池収容アセンブリ。
【請求項４】
前記セパレータ本体は、
垂直板と、
前記垂直板の上縁に配置される上側フレームプレートと、
前記垂直板の下縁に配置される下側フレームプレートと、
前記垂直板の左端に配置され、前記上側フレームプレートと接続される上端および前記下側フレームプレートと接続される下端を画定する左プレートと、
前記垂直板の右端に配置され、前記上側フレームプレートと接続される上端および前記下側フレームプレートと接続される下端を画定する右プレートとを備え、
前記前方収容溝および前記後方収容溝の各々は前記垂直板、前記上側フレームプレート、前記下側フレームプレート、前記左プレートおよび前記右プレートによって画定され、
前記前方切り欠きは前記左プレートおよび前記右プレートの各々の前縁内に形成され、前記後方切り欠きは前記左プレートおよび前記右プレートの各々の後縁内に形成される、請求項３に記載の電池収容アセンブリ。
【請求項５】
前記前方収容溝を前記後方収容溝に連通させるために、前記垂直板内に窓が形成され、
前記窓内に絶縁板または導熱板が配置され、
前記上側フレームプレート内に挿入孔が形成され、前記挿入孔と位置合わせされた挿入溝が前記垂直板内に形成され、絶縁板または導熱板が、前記挿入孔および前記挿入溝を介して前記窓内に挿入される、請求項４に記載の電池収容アセンブリ。
【請求項６】
前記スナップフィットピンは接続ブリッジをさらに備え、隣接するセパレータを互いに接続するために、２つの取り付け部が、それぞれ前記接続ブリッジの２つの端部に配置され、前記隣接するセパレータの前記スナップフィット溝にフィットし、
前記スナップフィット溝は開口部を有し、前記隣接するセパレータ内の前記スナップフィット溝の前記開口部は、前記接続ブリッジを受け入れるために互いに整列している、請求項１に記載の電池収容アセンブリ。
【請求項７】
前記前方収容溝および前記後方収容溝のうちの少なくとも一方の下壁に環状段部が配置され、または、
前記前方収容溝および前記後方収容溝のうちの少なくとも一方の下壁の表面が、前記下壁の周縁から前記下壁の中心へと下向きに傾けられている、請求項３に記載の電池収容アセンブリ。
【請求項８】
前記上側フレームプレートおよび前記下側フレームプレートの各々の前側縁に前方段部が配置され、前記上側フレームプレートおよび前記下側フレームプレートの各々の後側縁に後方段部が配置され、
前記前方段部は下向きに面しており、前記後方段部は上向きに面しており、
前記前方段部は、下向きに面する第１の前方段部セグメントおよび上向きに面する第２の前方段部セグメントを備え、前記後方段部は、上向きに面し、前記第１の前方段部セグメントに対応する第１の後方段部セグメント、および、下向きに面し、前記第２の前方段部セグメントに対応する第２の後方段部セグメントを備える、請求項４に記載の電池収容アセンブリ。
【請求項９】
前記セパレータの各々は、上下方向に沿って配列される複数の前記前方収容溝と、前記上下方向に沿って配列され、前記前方収容溝と１対１で対応する複数の前記後方収容溝とを備え、隣接する前方収容溝は前方分離板によって互いから分離され、隣接する後方収容溝は後方分離板によって互いから分離され、
互いに対応する前記前方分離板および前記後方分離板は一体的に形成される、請求項３〜５、７〜８のいずれか一項に記載の電池収容アセンブリ。
【請求項１０】
ケーブルスナップフィット用スナップ嵌め孔が、前記前方収容溝および前記後方収容溝の上壁および下壁のうちの少なくとも１つの中に形成される、請求項３〜５、７〜９のいずれか一項に記載の電池収容アセンブリ。
【請求項１１】
前記電池収容アセンブリはケーブルスナップフィットをさらに備え、前記ケーブルスナップフィットは、
スナップフィット本体であって、前記スナップフィット本体の長さ方向に沿って前記スナップフィット本体を貫通するケーブル配線チャネルを画定する、スナップフィット本体と、
前記スナップフィット本体の外部に配置され、前記スナップフィット本体を前記セパレータに締結するために、前記ケーブルスナップフィット用スナップ嵌め孔内にスナップ嵌めされるように構成されているケーブルクラスプを有するスナップ嵌め部とを備え、
前記スナップフィット本体はアーチ形状として構成され、
前記ケーブル配線チャネルの下端に開口部が形成されており、
前記スナップ嵌め部は、それぞれ前記開口部の２つの側部上に配置される、請求項１０に記載の電池収容アセンブリ。
【請求項１２】
前記電池収容アセンブリは、前記複数のセパレータのうちの最前方のセパレータにフィットし、その後側面において後方溝を画定する前方プレートをさらに備え、前記前方プレートの前記後方溝、および、前記最前方のセパレータの前記前方収容溝が、最前方の電池室を画定し、
前記電池収容アセンブリは、前記複数のセパレータのうちの最後方のセパレータにフィットし、その前側面おいて前方溝を画定する後方プレートをさらに備え、前記前方溝、および、前記最後方のセパレータの前記後方収容溝が、最後方の電池室を画定する、請求項３に記載の電池収容アセンブリ。
【請求項１３】
電源電池モジュールであって、
請求項１〜１２のいずれか一項に記載の電池収容アセンブリと、
前記電池収容アセンブリの電池室内に収容される電池とを備える、電源電池モジュール。
【発明の詳細な説明】
【技術分野】
【０００１】
本開示の実施形態は、概して電池の分野に関し、より詳細には、電池収容アセンブリおよびそれを備える電源電池モジュールに関する。
【背景技術】
【０００２】
関連技術において、電源電池モジュールのほとんどは、マルチプレート構造または上下ハウジング構造を有する電池収容アセンブリを採用している。これらの構造は電池を良好に保護することができるが、マルチプレート構造および上下ハウジング構造の制限に起因して、電池の組み合わせモードを自由に拡大し展開することができない。電池の組み合わせモードが変更される必要があるとき、電池の新たな組み合わせ様式を再設計し再展開する必要があり、それによって、多くの時間を無駄にし、費用を大きく増大させる。また、マルチプレート構造および上下ハウジング構造を有する電池収容アセンブリは、電源電池モジュールの自動生産には適しておらず、したがって、電源電池モジュールの費用を増大させる。
【発明の概要】
【発明が解決しようとする課題】
【０００３】
本開示の実施形態は、関連技術に存在する問題のうちの少なくとも１つを少なくとも一定程度まで解決することを模索する。
【０００４】
したがって、本開示の第１の広範な態様の実施形態は、電池収容アセンブリを提供する。電池収容アセンブリは、複数のセパレータを含む。隣接するセパレータは、スナップ嵌め構造を介して互いに取り外し可能に接続され、電池室を画定する。
【０００５】
互いに取り外し可能に接続されている電池および複数のセパレータを収容するための電池室を画定する隣接するセパレータによって、本開示の実施形態による電源電池モジュールは、電池の数を自由に拡大することができ、実際の要件に従って、電池の複数の異なる接続様式（直列接続、並列接続および直列−並列接続など）に適合することができる。加えて、電池収容アセンブリの隣接するセパレータはスナップ嵌め構造を介して互いに取り外し可能に接続され、それによって、電池収容アセンブリを組み立て、分解することが簡便になり、組み立て工程が単純化され、組み立て効率が向上する。さらに、電源電池モジュールについて、その拡張性が向上し、その開発費用が低減し、その開発期間が短縮される。
【０００６】
本開示の第２の広範な態様の実施形態は、電源電池モジュールを提供する。電源電池モジュールは、上記で言及した電池収容アセンブリと、電池室内に収容される電池とを含む。この電源電池モジュールによって、電源電池モジュールの拡張性が向上し、電源電池モジュールの開発費用が低減し、電源電池モジュールの開発期間が短縮される。
【０００７】
本開示の実施形態の追加の態様および利点が、以下の説明において部分的に与えられ、以下の説明から部分的に明らかになり、または、本開示の実施形態の実践から学習される。
【図面の簡単な説明】
【０００８】
本開示の実施形態のこれらのおよび他の態様および利点が、添付の図面を参照して行わる以下の説明から明らかになり、より容易に諒解される。
【０００９】
【図１】本開示の一実施形態による組み立て済み電源電池モジュールの概略図である。
【図２】別の方向からの図１に示されている電源電池モジュールの概略図である。
【図３】図１に示す電池収容アセンブリと電池との間の組み立て関係を示す概略図である。
【図４】図１に示す電源電池モジュールのセパレータ間の組み立て関係を示す概略図である。
【図５】図４内の領域Ａの拡大図である。
【図６】図１に示す電源電池モジュールのセパレータの斜視図である。
【図７】本開示の別の実施形態による電源電池モジュールの概略図である。
【図８】左カバーおよび右カバーのない図７に示されているものとしての電源電池モジュールの概略図である。
【図９】本開示のさらなる実施形態による電池収容アセンブリと電池との間の組み立て関係を示す概略図である。
【図１０】図９に示す領域Ｂの拡大図である。
【図１１】図９に示す電源電池モジュール内のセパレータの斜視図である。
【図１２】図９に示す電池収容アセンブリのセパレータと絶縁板または導熱板との間の組み立て関係を示す概略図である。
【図１３】図９に示す電源電池モジュールのスナップフィットピンの斜視図である。
【図１４】図１３に示す領域Ｃの拡大図である。
【図１５】本開示の一実施形態によるケーブルスナップフィットの斜視図である。
【図１６】本開示の別の実施形態によるケーブルスナップフィットの斜視図である。
【図１７】本開示のさらなる実施形態によるケーブルスナップフィットの斜視図である。
【図１８】本開示の一実施形態によるケーブルスナップフィットとセパレータとの間の組み立て関係を示す概略図である。
【図１９】図１８に示す領域Ｄの拡大図である。
【発明を実施するための形態】
【００１０】
本開示の実施形態を詳細に参照する。同じまたは同様の要素、および、同じまたは同様の機能を有する要素は、本明細書全体を通じて同様の参照符号によって示されている。図面を参照して本明細書において説明されている実施形態は説明的な、実例のものであり、本開示を全般的に理解するために使用される。実施形態は、本開示を限定するものとして解釈されるべきではない。
【００１１】
本明細書において、「中央（ｃｅｎｔｒａｌ）」、「長手方向（ｌｏｎｇｉｔｕｄｉｎａｌ）」、「側方（ｌａｔｅｒａｌ）」、「前方（ｆｒｏｎｔ）」、「後方（ｒｅａｒ）」、「右（ｒｉｇｈｔ）」、「左（ｌｅｆｔ）」、「内側（ｉｎｎｅｒ）」、「外側（ｏｕｔｅｒ）」、「下側（ｌｏｗｅｒ）」、「上側（ｕｐｐｅｒ）」、「水平（ｈｏｒｉｚｏｎｔａｌ）」、「垂直（ｖｅｒｔｉｃａｌ）」、「上方（ａｂｏｖｅ）」、「下方（ｂｅｌｏｗ）」、「上（ｕｐ）」、「上部（ｔｏｐ）」、「下部（ｂｏｔｔｏｍ）」、「内側（ｉｎｎｅｒ）」、「外側（ｏｕｔｅｒ）」、「時計回り（ｃｌｏｃｋｗｉｓｅ）」、「反時計回り（ａｎｔｉｃｌｏｃｋｗｉｓｅ）」のような相対的な用語およびそれらの派生語（たとえば、「水平に（ｈｏｒｉｚｏｎｔａｌｌｙ）」、「下向きに（ｄｏｗｎｗａｒｄｌｙ）」、「上向きに（ｕｐｗａｒｄｌｙ）」などは、そのとき説明されているものとしての、または、説明されている図面内で示されているものとしての向きを指すものとして解釈されるべきである。これらの相対的な用語は、説明の便宜上のものであり、本開示が特定の向きにおいて構成または操作されることを必要としない。
【００１２】
加えて、「第１の」および「第２の」のような用語は、本明細書において、説明を目的としたものであり、相対的な重要性または重大性を指示または暗示するようには意図されていない。したがって、「第１の」および「第２の」によって限定される特徴は、１つまたは２つ以上のこれらの特徴が含まれることを指示または暗示するように意図されている。本開示の説明において、「複数の」とは、２つまたは３つ以上に関係する。
【００１３】
本開示の説明において、別途指定または限定されていないかぎり、「取り付けられている（ｍｏｕｎｔｅｄ）」、「接続されている（ｃｏｎｎｅｃｔｅｄ）」、「結合されている（ｃｏｕｐｌｅｄ）」および「締結されているｆａｓｔｅｎｅｄ）」という用語は、２つの要素間の永続的な接続または取り外し可能な接続、電気的接続または機械的接続、直接接続、または、介在する内部連通もしくは相互作用を介した間接接続のように、広範に理解され得ることが留意されるべきである。当業者であれば、特定の状況による本開示内の特定の意図を理解するはずである。
【００１４】
本開示の説明において、第１の特徴が第２の特徴の「上（ｏｎ）」にある構造は、別途指定しないかぎり、第１の特徴が第２の特徴に直に接している実施形態を含むことができ、第１の特徴と第２の特徴との間に追加の特徴が形成されており、それによって、第１の特徴が第２の特徴に直に接していない実施形態をも含むことができる。さらに、第２の特徴の「上（ｏｎ）」、「上方（ａｂｏｖｅ）」または「上部（ｏｎ  ｔｏｐ  ｏｆ）」にある第１の特徴は、  第１の特徴が第２の特徴のまさに「上」、「上方」または「上部」にある実施形態を含むことができ、第１の特徴が第２の特徴のまさに「上」、「上方」または「上部」にはない実施形態を含むこともでき、すなわち、第１の特徴が第２の特徴の海抜高度よりも高い海抜高度を有することを意味しているにすぎない。一方、第２の特徴の「下（ｂｅｎｅａｔｈ）」、「下方（ｂｅｌｏｗ）」または「下部（ｏｎ  ｂｏｔｔｏｍ  ｏｆ）」にある第１の特徴は、  第１の特徴が第２の特徴のまさに「下」、「下方」または「下部」にある実施形態を含むことができ、第１の特徴が第２の特徴のまさに「下」、「下方」または「下部」にはない実施形態を含むこともでき、すなわち、第１の特徴が第２の特徴の海抜高度よりも低い海抜高度を有することを意味しているにすぎない。
【００１５】
電源電池モジュール１０００は、電気車両の電源としての役割を果たし、したがって、その性能および安全性が、電気車両全体の重要なファクタとなる。電源電池モジュール１０００は、電池収容アセンブリ１００と電池１０１とを含んでもよく、言い換えれば、電池１０１は、電源電池モジュール１０００を形成するように電池収容アセンブリ１００内に取り付けられる、図３および図９は、電池収容アセンブリ１００と電池１０１との間の組み立て関係を示す概略図である。
【００１６】
本開示の実施形態による電池収容アセンブリ１００を、図１〜図１９を参照して以下に説明する。
【００１７】
図１〜図１２に示すように、本開示の実施形態による電池収容アセンブリ１００は、複数のセパレータ１０を有し、隣接するセパレータ１０は、スナップ嵌め構造６０を介して互いに取り外し可能に接続され、電池１０１を収容するように構成される電池室を画定する。
【００１８】
本開示のいくつかの実施形態において、複数のセパレータ１０が、前後方向において互いに平行に配置されている。詳細には、隣接するセパレータ１０は、スナップ嵌め構造６０を介して互いに接続され、隣接するセパレータ１０は互いに取り外し可能である。
【００１９】
隣接するセパレータ１０はスナップ嵌め構造６０を介して互いに取り外し可能に接続されるため、実際の要件に従って任意の数のセパレータ１０をともに接続することができ、それによって、任意の数の電池１０１を、複数の異なるパラメータを有する電源電池モジュール１０００の要件を満たすために利用することができる、すなわち、電源電池モジュール１０００は、実際の要件に従って自由に拡大および展開することができる。たとえば、電源収容アセンブリ１００が電池１０１を収容する容量は、セパレータ１０の数を増大させることによって向上することができる。言い換えれば、セパレータ１０の数を増大させることによって、電源電池モジュール１０００内の電池室の数も増大させることができ、それによって、より多くの収容空間を、電源電池モジュール１０００内に追加の電池１０１のために提供することができる。
【００２０】
したがって、電池１０１を収容するように構成されている電池室を画定し、互いに取り外し可能に接続されている、隣接するセパレータ１０によって、本開示の実施形態による電源電池モジュール１０００は、電池１０１の数を自由に拡大することができ、実際の要件に従って、電池の複数の異なる接続様式（電池１０１の直列接続、並列接続および直列−並列接続など）に適合することができる。加えて、電池収容アセンブリ１００の隣接するセパレータ１０はスナップ嵌め構造６０を介して互いに取り外し可能に接続され、それによって、電池収容アセンブリ１００を組み立て、分解することが簡便になり、組み立て工程が単純化され、組み立て効率が向上する。さらに、電源電池モジュール１０００について、その拡張性が向上し、その開発費用が低減し、その開発期間が短縮される。
【００２１】
本開示の実施形態によるスナップ嵌め構造６０を、図１〜図６を参照して説明する。
【００２２】
図１〜図６に示すように、スナップ嵌め構造は、隣接するセパレータ１０のうちの一方の中に形成されるスナップ嵌め溝６１と、隣接するセパレータ１０のうちの他方に配置され、隣接するセパレータ１０同士をともに締結するためにスナップ嵌め溝６１内に嵌まるように適合されているスナップ嵌め突出部６２とを含む。言い換えれば、スナップ嵌め構造６０はスナップ嵌め突出部６２およびスナップ嵌め溝６１を含むことができ、スナップ嵌め突出部６２は隣接するセパレータ１０のうちの一方に配置され、スナップ嵌め溝６１は隣接するセパレータ１０のうちの他方の中に形成され、隣接するセパレータ１０同士をともに締結するために、スナップ嵌め突出部６２と協調する。
【００２３】
その上、位置決め孔６２１をスナップ嵌め突出部６２内に形成することができ、位置決めボス６１２がスナップ嵌め溝６１の下壁に配置され、位置決め孔６２１内にフィットする。詳細には、位置決めボス６１２は、位置決め孔６２１内へと上向きに延伸しており、すなわち、スナップ嵌め突出部６２がスナップ嵌め溝６１内にスナップ嵌めされ、それによって、隣接するセパレータ１０を互いに接続することができる。それゆえ、隣接するセパレータ１０は単純な構造を有し、互いに接続するのが容易であり、したがって、高い拡張性を提供する。その上、スナップ嵌め突出部６２およびスナップ嵌め溝６１はまた、複数のセパレータ１０の位置決めの機能をも有し、したがって、隣接するセパレータ１０間の位置決めが容易になり、組み立て速度が向上する。
【００２４】
図４〜図６に示すように、セパレータ１０は、上側フレームプレート１１２を含む。上側フレームプレート１１２は、セパレータ１０の上部に配置される。スナップ嵌め溝６１は上側フレームプレート１１２の前縁および後縁のうちの一方の中に形成され、スナップ嵌め突出部６２は、上側フレームプレート１１２の前縁および後縁のうちの他方に配置される。言い換えれば、セパレータ１０の各々はスナップ嵌め溝６１とスナップ嵌め突出部６２の両方を有し、それによって、複数のセパレータ１０が一列に配列されると、複数のセパレータ１０を１つずつ互いにスナップ嵌めすることができる。
【００２５】
代替的に、セパレータ１０は、下側フレームプレート１１３を含む。下側フレームプレート１１３は、セパレータ１０の下部に配置される。スナップ嵌め溝６１は下側フレームプレート１１３の前縁および後縁のうちの一方の中に形成され、スナップ嵌め突出部６２は、下側フレームプレート１１３の前縁および後縁のうちの他方に配置される。言い換えれば、スナップ嵌め構造６０は、セパレータ１０各々の上側フレームプレート１１２と下側フレームプレート１１３の両方の上に配置することができる。さらに、スナップ嵌め構造６０は、上側フレームプレート１１２上にのみ配置することが、または、スナップ嵌め構造６０は、下側フレームプレート１１３上にのみ配置することができ、または、スナップ嵌め構造６０は、上側フレームプレート１１２と下側フレームプレート１１３の両方の上に配置することができる。
【００２６】
本開示の一実施形態において、スナップ嵌め構造６０は上側フレームプレート１１２と下側フレームプレート１１３の両方の上に配置され、それによって、隣接するセパレータ１０の上側部分が互いに接続され、隣接するセパレータの下側部分も互いに接続され、したがって、隣接するセパレータ１０間の接続強度および接続安定性が向上する。さらに、電池収容アセンブリ１００は、電池１０１をより確実に保護する。
【００２７】
複数のスナップ嵌め突出部６２およびスナップ嵌め溝６２をセパレータ１０の上側フレームプレート１１２上に配置することができ、スナップ嵌め突出部６２は、スナップ嵌め溝６２と１対１で対応することができる。複数のスナップ嵌め突出部６２およびスナップ嵌め溝６２がセパレータ１０の下側フレームプレート１１３上に配置され、スナップ嵌め突出部６２は、スナップ嵌め溝６２と１対１で対応することができる。それによって、隣接するセパレータ１０間の接続強度および接続安定性がさらに向上する。
【００２８】
図５に示すような本開示の一実施形態において、スナップ嵌め突出部６２は台形形状を有するように構成される、すなわち、上下方向におけるスナップ嵌め突出部６２の突起は台形である。対応して、スナップ嵌め溝６１は、スナップ嵌め突出部にフィットする台形として構成することができ、それによって、スナップ嵌め突出部６２は十分な構造強度を有する。確実に、本開示はこれには限定されず、スナップ嵌め突出部６２およびスナップ嵌め溝６１は、スナップ嵌め突出部６２をスナップ嵌め溝内に安定してスナップ嵌めすることができる限り、任意の他の形状を有してもよい。
【００２９】
図６に示すように、誘導スロープ６１１をスナップ嵌め溝６１の開口に形成することができ、誘導スロープ６１１は、スナップ嵌め溝６１２の内端からその開口へと下向きに傾斜するように構成されている。電池収容アセンブリ１００が組み立てられるとき、誘導スロープ６１１は、スナップ嵌め突出部６２の取り付けに対して誘導機能を実施する、すなわち、スナップ嵌め突出部６２は、誘導スロープ６１１を介してスナップ嵌め溝内に容易に挿入するように誘導され、したがって、組み立て速度が向上し、組み立て難度が低減する。
【００３０】
本開示の別の実施形態によるスナップ嵌め構造６０を、図７〜図１４を参照して以下に説明する。
【００３１】
図７〜図１４に示すように、スナップ嵌め構造６０は、スナップフィット溝６３およびスナップフィットピン６４を含むことができる。スナップフィット溝６３は、セパレータ１０内に形成され、スナップフィットピン６４は、セパレータ１０に対する取り外し可能部材として構成され、少なくとも２つの取り付け部６４１を含む。少なくとも２つの取り付け部６４１は、少なくとも２つのセパレータ１０を互いに接続するように、少なくとも２つのセパレータ１０のスナップフィット溝６３内にスナップ嵌めされる。言い換えれば、スナップフィットピン６４は、少なくとも２つの隣接するまたは隣接しないセパレータ１０を互いに接続することができる。スナップフィットピン６４を配置することによって、セパレータ１０同士をともに接続することが簡便になり、セパレータを迅速に組み立てることが容易になり、様々な組み立て様式がもたらされる。
【００３２】
図１０および図１３に示すように、本開示のいくつかの実施形態において、スナップフィットピン６４は、接続ブリッジ６４２をさらに含むことができる。２つの取り付け部６４１がそれぞれ接続ブリッジ６４２の２つの端部に配置され、隣接するセパレータ１０を互いに接続するために隣接するセパレータ１０のスナップフィット溝６３内にフィットする。言い換えれば、スナップフィットピン６４は、隣接するセパレータ１０を互いに接続するのみであり得、それによって、スナップフィットピン６４は、相対的に小さい体積および単純な構造を有することができる。それゆえ、電池収容アセンブリ１００のセパレータ１０間の接続構造は単純であり、セパレータ１０を組み立てることは簡便である。セパレータ１０を互いに接続するためにスナップフィットピン６４を使用することによって、電源電池モジュール１０００は、電池の実際の要件に従って任意の数のセパレータ１０を含むことができ、したがって、電源電池モジュール１０００の拡張性が向上する。
【００３３】
スナップフィット溝６３は開口部６３１を有し、隣接するセパレータ１０内のスナップフィット溝６３の開口部６３１は、接続ブリッジ６４２を受け入れるための溝を形成するように互いに対して整列される。それによって、スナップフィットピン６４がセパレータ１０間に配置されると、スナップフィットピン６４の上面はセパレータ１０の上面と同一平面上になり、それによって、電池収容アセンブリ１００の外観は美的になり、スナップフィットピン６４はスナップフィット溝６３内に完全に埋め込まれ、したがって、外力に起因するスナップフィットピン６４に対する損傷が回避される。
【００３４】
本開示のいくつかの実施形態において、スナップフィット溝６３は隣接するセパレータ１０の上側フレームプレート１１２の各々の中に形成することができ、スナップフィットピン６４は、隣接するセパレータ１０を互いに接続するために、隣接するセパレータ１０の上側フレームプレート１１２間に配置することができる。
【００３５】
代替的に、スナップフィット溝６３は隣接するセパレータ１０の下側フレームプレート１１３の各々の中に形成することができ、スナップフィットピン６４は、隣接するセパレータ１０を互いに接続するために、隣接するセパレータ１０の下側フレームプレート１１３間に配置することができる。
【００３６】
本開示の一実施形態において、スナップフィットピン６４は、隣接するセパレータ１０の上側フレームプレート１１２間または隣接するセパレータ１０の下側フレームプレート１１２間にのみ配置されてもよい。代替的に、スナップフィットピン６４は、隣接するセパレータ１０の上側フレームプレート１１２間、および、隣接するセパレータ１０の下側フレームプレート１１３間に同期して配置されてもよい。それゆえ、電池収容アセンブリ１００の様々な取り付け要件を満たすために、セパレータ１０間の様々な接続様式がもたらされる。
【００３７】
本開示の一実施形態において、スナップフィットピン６４は、隣接するセパレータ１０の上側フレームプレート１１２間、および、隣接するセパレータ１０の下側フレームプレート１１３間に同期して配置され、それによって、隣接するセパレータ１０の上側部分が互いに接続され、隣接するセパレータ１０の下側部分が互いに接続され、電池収容アセンブリ１００の構造が安定し、したがって、電池１０１のための電池収容アセンブリ１００のより確実な保護、および、電源電池モジュール１０００のより良好な安全性能がもたらされる。
【００３８】
代替的に、取り付け部６４１は、スナップフィット溝６３との締まりばめを有することができ、または、取り付け部６４１は、ボルトを介してスナップフィット溝６３内に取り付けることができ、それによって、スナップフィットピン６４はセパレータ１０と近密に接続することができ、したがって、高い信頼性および高い接続強度がもたらされ、電源電池モジュール１０００の可使時間が向上する。
【００３９】
代替的に、取り付け部６４１は、円形状、台形形状または矩形形状として構成されてもよい。言い換えれば、上下方向における取り付け部６４１の突起は、円形、台形または矩形であってもよい。対応して、スナップフィット溝６３も、取り付け部６４１と適合する円形、台形または矩形として構成される。それゆえ、取り付け部６４１の構造は様々であり、取り付け部６４１をセパレータ１０に組み付けることは簡便である。
【００４０】
本開示の一実施形態において、段部分６４１６が、取り付け部６４１の、スナップフィット溝６３に面する表面上に形成され、取り付け部６４１の段部分６４１６に対応する段部分６３２がスナップフィット溝６３内に形成され、それによって、取り付け部６４１はスナップフィット溝６３内により近密にフィットすることができ、スナップ嵌め構造６０がより安定し、電池収容アセンブリ１００の構造安定性がさらに向上する。
【００４１】
図１３および図１４に示すように、接続ブリッジ６４２は長手方向に延伸し、２つの取り付け部６４１は、長手方向において接続ブリッジ６４２の２つの端部に配置され、長手方向に対して垂直である、すなわち、取り付け部６４１は横方向に延伸する。言い換えれば、スナップフィットピン６４は、ほぼ「工」形状として構成される。接続ブリッジ６４２の厚さ方向に延伸する複数の突出隆起部６４１１が、取り付け部６４１の外端面上で接続ブリッジ６４２から外方に配置される、すなわち、突出隆起部６４１１は垂直方向に延伸する。スナップフィットピン６４がセパレータ１０内に取り付けられているとき、取り付け部６４１はスナップフィット溝６３にフィットし、取り付け部６４１の外端面に配置されている突出隆起部６４１１が位置決めおよび誘導機能を実施し、それによって、スナップフィットピン６４の取り付けを容易にする。その上、スナップフィットピン６４の使用時間全体の間にスナップフィットピン６４を保持するように、突出隆起部６４１１とスナップフィット溝６３の壁との間に摩擦力を生成することができる。
【００４２】
本開示のいくつかの実施形態において、突出隆起部６４１１の断面は、弧形状として構成される。代替的に、突出隆起部６４１１の一方の端部は、突出隆起部６４１１の他方の端部に向けて傾いたスロープ６４１２を有する、すなわち、図１４に示すように、垂直方向における突出隆起部６４１１の一方の端部（たとえば、上端）は、垂直方向において突出隆起部６４１１の他方の端部（たとえば、下端）に向けて傾いたスロープ６４１２を有する。代替的に、突出隆起部６４１１の他方の端部（たとえば、下端）の断面は、円として構成されてもよい。それによって、使用中に製品を組み立てることが簡便であり、長手方向における力が突出隆起部６４１１とスナップフィット溝６３の壁との間に生成され得、それによって、スナップフィットピン６４が変形してスナップフィット溝６３から出ることが起こりにくくなる。確実に、本開示の一実施形態において、突出隆起部６４１１は、取り付け部６４１の２つの対向する端面の各々に配置することができ、それによって、突出隆起部６４１１とスナップフィット溝６３の壁との間の摩擦力をさらに向上することができ、したがって、スナップフィットピン６４の接続強度がさらに増大する。
【００４３】
本開示の一実施形態において、２つの取り付け部６４１の少なくとも一方は、その厚さ方向において取り付け部６４１を貫通する少なくとも１つの取り外し孔６４１３を有する。スナップフィットピン６４を取り付けるかまたは取り外すとき、操作者は、取り付けまたは取り外しのために取り外し孔６４１３を介してスナップフィットピン６４を保持することができ、それによって、スナップフィットピン６４を迅速に取り付けるかまたは取り外すことが容易かつ簡便になる。代替的に、取り外し孔６４１３にフィットする取り付けボスまたは取り付けピンのような取り付け部材（図示せず）が、スナップフィット溝６３の下壁に配置されてもよく、それによって、スナップフィットピン６４は、セパレータ１０上により安定して固定することができる。実際の組み立て要件に従って、１つまたは複数の取り外し孔６４１３を設けることができる。
【００４４】
図１３および図１４に示すように、取り付け部６４１は、その厚さにおいて外向きに延伸するベーススタンド６４１４を有する。言い換えれば、ベーススタンド６４１４は長手方向に延伸し、ベーススタンド６４１４の表面は、対応する取り付け部６４１の表面よりも高い。ベーススタンド６４１４は、対応する取り付け部６４１の周縁に形成される。ベーススタンド６４１４を配置することによって、取り付け部６４１の構造強度を増大させることができ、スナップフィットピン６４の強度も向上することができる。さらに、取り付け部６４１は変形しにくく、セパレータ１０間のスナップフィットピン６４の接続強度が向上する。
【００４５】
代替的に、ベーススタンド６４１４の延伸する厚さは１〜１０ｍｍであってもよい。本開示の一実施形態において、ベーススタンド６４１４の延伸する厚さは１〜３ｍｍであり、したがって、ベーススタンド６４１４は適切な厚さを有し、ベーススタンド６４１４の材料を節約することができる。
【００４６】
代替的に、少なくとも１つの強化リブ６４２２が、接続ブリッジ６４２の表面内に形成される。強化リブ６４２２を配置することによって、接続ブリッジの構造強度が強化され、接続ブリッジ６４２は容易には変形せず、したがって、スナップフィットピン６４の可使時間が増大する。
【００４７】
本開示のいくつかの実施形態において、図１３に示すように、複数のボス６４２１が、横方向において接続ブリッジ６４２の２つの側面のうちの少なくとも一方に配置され、対応する側面から外向きに突出する。複数のボス６４２１を配置することによって、スナップフィットピン６４とスナップフィット溝６３の壁との間の摩擦力が増大し、したがって、スナップフィットピン６４とセパレータ１０との間の接続強度がさらに増大する。
【００４８】
代替的に、複数のボス６４２１の各々はほぼ半球として構成され、それによって、スナップフィットピン６４の射出成形中にその離型が簡便になる。ボス６４２１のサイズが小さすぎる場合、スナップフィットピン６４とスナップフィット溝６３の壁との間の摩擦力は十分でなく、ボス６４２１のサイズが大きすぎる場合、スナップフィット６４の離型が困難であることが留意されるべきである。好ましくは、ボス６４２１の直径は１ｍｍ〜２ｍｍであり、すなわち、ボス６４２１の接続部および接続ブリッジ６４２の直径は１ｍｍ〜２ｍｍであり得、したがって、スナップフィットピン６４とスナップフィット溝６３の壁との間の摩擦力が保証され、スナップフィットピン６４の離型が容易になる。複数のボス６４２１は長手方向において互いから離間され、それによって、スナップフィットピン６４とスナップフィット溝６３の壁との間の摩擦力は均一になる。
【００４９】
スナップフィットピン６４の接続強度およびスナップフィットピン６４とセパレータ１０との間の協調を考慮すると、スナップフィットピン６４全体の厚さは８ｍｍ〜１５ｍｍであり得る。本開示の一実施形態において、スナップフィットピン６４全体の厚さは１０ｍｍ〜１３ｍｍである、すなわち、上下方向におけるスナップフィット６４の突出の厚さは１０ｍｍ〜１３ｍｍである。それによって、スナップフィットピン６４は十分な構造強度を有し、材料を節約し、スナップフィットピン６４をセパレータ１０に接続することが簡便かつ確実になる。
【００５０】
代替的に、スナップフィットピン６４はプラスチック成形部品またはプラスチック−金属混合成形部品である。たとえば、接続ブリッジ６４２、取り付け部６４１、突出隆起部６４１１、ボス６４２１およびベーススタンド６４１４はプラスチック部品であり、射出成形によって一体的に形成され、これらのプラスチック部品を形成することは用意かつ簡便である。接続ブリッジ６４２、取り付け部６４１、突出隆起部６４１１、ボス６４２１およびベーススタンド６４１４は、ＰＰＯ（ポリフェニレンオキシド）、ＰＰ（ポリプロピレン）、ＰＰＥ（ポリフェニルエーテル）、または内部に金属を埋め込まれているこれらの材料から作製することができる。それによって、これらの構成要素は、安全性能および信頼性の要件を満たす高い耐食性、大きい耐候性、良好な耐火性および高い絶縁性を有し、したがって、スナップフィットピン６４は高い構造強度を有する。
【００５１】
本開示のいくつかの実施形態において、電池室の左壁および右壁のうちの少なくとも一方の中に貫通孔が形成され得る。貫通孔は、電池室を通過する電極の出口としての役割を果たし、電池１０１間の接続を容易にするように、貫通孔を介して電池１０１の正電極および負電極が、外部に延伸し得る。または、貫通孔は、防爆弁の位置決め孔６２１または注入孔としての役割を果たしてもよい（防爆液が注入孔を介して電池室内に注入され得る）、すなわち、貫通孔の機能は、電源電池モジュール１０００の機能開発を促進するように、実際の要件に従って決定することができる。
【００５２】
代替的に、互いに対向している２つの切り欠きが、それぞれ隣接するセパレータ１０内に形成されてもよく、２つの切り欠きが貫通孔を形成する。本開示の一実施形態において、貫通孔の断面は、円形、楕円形、多角形または不規則形状であってもよい。
【００５３】
代替的に、複数の貫通孔が配置され、上下方向において互いから離間される、すなわち、複数の切り欠きが１つのセパレータ１０内に形成されて、上下方向において互いから離間されてもよい。
【００５４】
図６、図１１および図１２に示すように、セパレータ１０は、前部および後部を有するセパレータ本体１１を含み、前部は前方収容溝１４を画定する。詳細には、前方収容溝１４は、セパレータ本体１１の前部から後ろ向きに延伸するように構成されている。前方収容溝１４の左壁および右壁のうちの少なくとも一方の中に前方切り欠き１４１が形成され、隣接するセパレータ１０のうちの一方の前方収容溝１４、および、隣接するセパレータ１０のうちの他方のセパレータ本体１１の後部が、電池室を画定する。また、隣接するセパレータ１０のうちの一方の前方切り欠き１４１、および、隣接するセパレータ１０のうちの他方のセパレータ本体１１の後部が、貫通孔を画定する。言い換えれば、電池１０１の収容溝は各セパレータ１０の前部内にのみ形成され、前方収容溝１４、および、隣接するセパレータ１０の後部が、電池１０１を収容するための電池室を画定する。それゆえ、セパレータ１０は、より単純な構造を有し、製造されることが容易である。
【００５５】
いくつかの実施形態において、各セパレータの後部が後方収容溝を画定することができ、前方切り欠き１４１に対応する後方切り欠き１５１を、後方収容溝の左壁および右壁のうちの少なくとも一方の中に形成することができる。隣接するセパレータ１０のうちの一方の前方収容溝１４、および、隣接するセパレータ１０のうちの他方の後方収容溝によって電池室を画定することができ、隣接するセパレータ１０のうちの一方の前方切り欠き１４１、および、隣接するセパレータ１０のうちの他方の後方切り欠き１５１によって、貫通孔を画定することができる。それゆえ、電池１０１を収容するためのより多くの空間を有するために、前方収容溝１４および後方収容溝によって電池室が画定される。各セパレータ１０の前部および後部の構造は互いに同一であってもよく、それによって、セパレータは、対称構造を有することができる。
【００５６】
代替的に、前方切り欠き１４１および後方切り欠き１５１は、半円として構成されてもよく、したがって、前方切り欠き１４１および後方切り欠き１５１によって画定される貫通孔は、円形断面を有することができる。本開示の一実施形態において、複数のセパレータ１０の各々は同じ構造を有することができ、それによって、複数のセパレータ１０を同じ型セットによって製造することができ、したがって、費用が節約され、電源電池モジュール１０００の組み立ておよび量産が促進される。
【００５７】
図４および図６に示すように、セパレータ１０の各々は、上下方向に沿って配列されている２つの前方収容溝１４、および、上下方向に沿って、前方収容溝１４と１対１対応で配列されている２つの後方収容溝を含む。２つの前方収容溝１４は前方分離板１１１０によって互いから分離されており、２つの後方収容溝は、後方分離板１１０１によって互いから分離されている。それゆえ、２つのセパレータ１０の間に２つの電池１０１を収容するための２つの電池室が形成され、したがって、電池１０１を収容するための電池収容アセンブリ１００の容量がさらに向上し、電源電池モジュール１０００の構造がコンパクトになる。２つの隣接するセパレータ１０の間に形成され、上下方向において互いから離間される２つの電池室は例示にすぎず、限定ではないことを、当業者であれば理解することができる。言い換えれば、３つまたは４つ以上のような、より多くの電池室が隣接するセパレータの間に形成されてもよく、したがって、より多くの電池１０１を電池収容アセンブリ１００内に配置することができ、それによって、電源電池モジュール１０００は、使用されることが容易であり、高い拡張性を有する。本開示の一実施形態において、互いに対応する前方分離板１１１０および後方分離板１１０１は一体的に形成される。
【００５８】
図６、図１１および図１２に示すように、セパレータ１１は、垂直板１１１と、上側フレームプレート１１２と、下側フレームプレート１１３と、左プレート１１４と、右プレート１１５とを含む。上側フレームプレート１１２は垂直板１１１の上端に配置され、下側フレームプレート１１３は垂直板１１１の下端に配置され、左プレート１１４は垂直板１１１の左端に配置され、上側フレームプレート１１２と接続されている上端部および下側フレームプレート１１３と接続されている下端部を画定し、右プレート１１５は垂直板１１１の右端に配置され、上側フレームプレート１１２と接続されている上端部および下側フレームプレート１１３と接続されている下端部を画定する。
【００５９】
前方収容溝１４および後方収容溝の各々は、垂直板１１１、上側フレームプレート１１２、下側フレームプレート１１３、左プレート１１４および右プレート１１５によって画定される。それによって、セパレータ本体１１は、より単純な構造を有し、製造することが容易である。本開示の一実施形態において、セパレータ１０は一体的に形成されてもよく、すなわち、垂直板１１１、上側フレームプレート１１２、下側フレームプレート１１３、左プレート１１４および右プレート１１５は一体的に形成されてもよく、それによって、垂直板１１１、上側フレームプレート１１２、下側フレームプレート１１３、左プレート１１４および右プレート１１５の間の接続強度が向上し、したがって、セパレータ１０の構造強度が向上する。さらに、電池１０１のための電池収容アセンブリ１００の保護が改善される。
【００６０】
代替的に、前方切り欠き１４１が、左プレート１１４および右プレート１１５の各々の前端に形成されてもよく、後方切り欠き１５１が、左プレート１１４および右プレート１１５の各々の後端に形成されてもよい。言い換えれば、電池室の左側と右側の両方に貫通孔が形成されてもよく、それによって、電池１０１の電極を、左貫通孔または右貫通孔を介して電池室の外部に延伸することができる。防爆弁の位置決め孔６２１、注入孔および電極のための貫通孔の位置は、電池１０１の構造に従って配置することができる。複数の前方切り欠き１４１が配置されて、上下方向において互いから離間され、複数の後方切り欠き１５１が配置されて、上下方向において互いから離間される、すなわち、電池室の左側と右側の両方に、複数の貫通孔が形成される。
【００６１】
加えて、電源電池モジュール１０００が正常に機能するとき、電池室の周壁と電池１０１との間の間隙が形成され得、それによって、電池１０１を電源電池１０００内の空気によって冷却することができる。電源電池モジュール１０００の電池１０１内に異常な状態が発生しているとき、たとえば、電池１０１が膨張しているとき、電池室の周壁と電池１０１との間の間隙が、電池１０１の、厚さ方向における変形を許容することができ、したがって、電源電池モジュール１０００の安全性が向上する。
【００６２】
前方収容溝１４および後方収容溝のうちの少なくとも一方の下壁には環状段部１４２が配置される。本開示の一実施形態において、環状段部１４２は、前方収容溝１４および後方収容溝の各々の下壁に配置される。環状段部１４２を配置することによって、各前方収容溝１４および後方収容溝の下壁を、電池１０１の外面から分離することができ、したがって、電池室の周壁と電池１０１との間の間隙が確保される。
【００６３】
代替的に、前方収容溝１４および後方収容溝のうちの少なくとも一方の下壁の表面が、下壁の周縁から下壁の中心へと下向きに傾けられる。本開示の一実施形態において、前方収容溝１４および後方収容溝の各々の下壁の表面が、下壁の周縁から下壁の中心へと下向きに傾けられ、したがって、電池室の周壁と電池１０１との間の間隙が確保される。各前方収容溝１４および後方収容溝の下壁の表面は、垂直板１１１の表面であってもよいことが留意されるべきである。
【００６４】
安全性および信頼性の要件を満たすために、セパレータ１０は、ＰＰＯ（ポリフェニレンオキシド）、ＰＰ（ポリプロピレン）、ＰＥＴ（ポリエチレングリコールテレフタレート）、ＡＢＳ（アクリロニトリルブタジエンスチレン）、ＰＣ（ポリカーボネート）または内部に金属を埋め込まれているこれらの材料のような、高い強度、高い耐食性、大きい耐候性、良好な耐火性および高い絶縁性を有するエンジニアリングプラスチックおよび複合材料から作製することができる。それによって、本開示の実施形態によるセパレータ１０は、高い強度を有し、電源電池モジュール１０００に対する衝突の発生のような異常な状態において、電池１０１を効果的に保護することができる。たとえば、セパレータ本体１１は、全体を射出成形によって形成することができ、射出成形の間にこれらの材料内に金属を埋め込むことができ、それによって、セパレータ１０の構造強度がさらに向上する。その上、セパレータ１０は射出成形後に直に離型することができ、それによって、セパレータ１０は製造について簡便であり、費用が節約される。
【００６５】
図１２に示すように、上側フレームプレート１１２および下側フレームプレート１１３の各々の前側縁に前方段部１１８が配置され、上側フレームプレート１１２および下側フレームプレート１１３の各々の後側縁に後方段部１１９が配置される。複数のセパレータ１０がともに組み立てられるとき、隣接するセパレータ１０のうちの一方の上側フレームプレート１１２の前側縁に配置されている前方段部１１８が、隣接するセパレータ１０のうちの他方の上側フレームプレート１１２の後側縁に配置されている後方段部１１９と重ね合わされる。同様に、隣接するセパレータ１０のうちの一方の下側フレームプレート１１３の前側端に配置されている前方段部１１８が、隣接するセパレータ１０のうちの他方の下側フレームプレート１１３の後側端に配置されている後方段部１１９と重ね合わされる。したがって、電池収容アセンブリ１００の外観は美的であり、隣接するセパレータ１０を互いに近密に接続することができる。その上、電源電池モジュール１０００の組み立て効率が向上し、電源バッターモジュール１０００の製造費用が低減する。本開示の一実施形態において、前方段部１１８は下向きに面することができ、後方段部１１９は上向きに面することができ、それによって、対応する前方段部１１８と後方段部１１９とが互いにより良好にフィットすることができる。
【００６６】
図１２に示すような本開示の一実施形態において、前方段部１１８は、下向きに面する第１の前方段部セグメント１１８１および上向きに面する第２の前方段部セグメント１１８２を含み、後方段部１１９は、上向きに面し、第１の前方段部セグメント１１８１に対応する第１の後方段部セグメント、および、下向きに面し、第２の前方段部セグメント１１８２に対応する第２の後方段部セグメント１１９１を含む。それによって、隣接するセパレータ１０を、互いにより近密に組み立てることができ、それによって、より良好な組み立て効果を達成することができる。その上、前方段部１１８および後方段部１１９をそれぞれ２つのセグメントに分割することによって、前方段部１１８と後方段部１１９との間の接続に起因して、隣接するセパレータ１０同士をともに組み立て、互いに対して位置付けることができ、隣接するセパレータ１０間の接続が安定する。
【００６７】
本開示のいくつかの実施形態において、前方収容溝１４を後方収容溝と連通させるために窓１１１１を垂直板１１１内に形成することができる、すなわち、前方収容溝１４および後方収容溝が互いに連通する。言い換えれば、垂直板１１１は、前後方向に貫通される構造として構成され、それによって、製造材料が節約され、費用が低減する。
【００６８】
絶縁板１６または導熱板１７が窓１１１１の中に配置され得る。絶縁板１６を配置することによって、隣接する電池１０１間の絶縁性を向上させることができ、それによって、電源電池モジュール１０００の安全性能を増大させることができる。導熱板１７を配置することによって、電池室内の電池１０１の放射効果を向上させることができ、したがって、電源電池モジュール１０００の安全性能も増大させることができ、電池１０１の可使時間を延長することができる。
【００６９】
詳細には、上側フレームプレート１１２内に挿入孔が形成され、挿入孔と位置合わせされた挿入溝が垂直板１１１内に形成され、絶縁板１６または導熱板１７が、挿入孔および挿入溝を介して窓１１１１内に挿入される。したがって、絶縁板１６または導熱板１７を窓１１１１内により容易に取り付けることができ、構造が単純で、組み立てるのが容易である。
【００７０】
図１〜図３、図６、図７、図９および図１１に示すように、本開示のいくつかの実施形態において、左カバー１２がセパレータ本体１１の左端に配置されており、右カバー１３がセパレータ本体１１の右端に配置されている。左カバー１２および右カバー１３によって、セパレータ１０およびセパレータ１０内の電池１０１を良好に保護することができ、したがって、電源電池モジュール１０００の安全性能および安定性がさらに増大する。
【００７１】
図１〜図３、図６、図７、図９および図１１に示すように、本開示のいくつかの実施形態において、左カバー１２および右カバー１３を、セパレータ本体１１と一体的に形成することができ、それによって、セパレータ本体１１と左カバー１２および右カバー１３との間の接続強度が向上し、左カバー１２および右カバー１３の複雑な組み立て工程を回避することができ、したがって、組み立て速度が増大する。
【００７２】
確実に、本開示の実施形態による本開示はこれには限定されず、左カバー１２および右カバー１３は、それぞれセパレータ１１上に取り外し可能に配置されてもよい。言い換えれば、セパレータ１１、左カバー１２および右カバー１３は独立して製造されてもよく、その後、左カバー１２および右カバー１３は、接続構造を介してセパレータ１１上に配置される。それによって、セパレータ１１、左カバー１２および右カバー１３のうちの１つが損傷を受けると、アセンブリ全体を交換することなく、対応するものだけを交換すればよく、したがって、保守管理が容易になり、その費用が節約される。
【００７３】
図６に示すような本開示の一実施形態において、スナップ嵌めスロット１１７をセパレータ本体１１内に形成することができ、スナップ嵌めスロット１１７内にスナップ嵌めされるクラスプ１３４を、それぞれ左カバー１２および右カバー１３に配置することができる。クラスプ１３４をスナップ嵌めスロット１１７内にスナップ嵌めすることによって、左カバー１２および右カバー１３がそれぞれセパレータ本体１１上に配置され、それによって、左カバー１２とセパレータ１０との間、および、右カバー１３とセパレータ１０との間の接続が単純になる。図６に示すように、クラスプ１３４は、左カバー１２および右カバー１３の各々の上端および下端に配置することができ、それによって、左カバー１２および右カバー１３をセパレータ本体１１上に安定して配置することができる。
【００７４】
図１１に示すような本開示の別の実施形態において、上側フレームプレート１１２の左端が、左上延伸部１１２１を形成するように、左プレート１１４を越えて左向きに延伸され、下側フレームプレート１１３の左端が、左下延伸部１１３１を形成するように、左プレート１１４を越えて左向きに延伸され、上側フレームプレート１１２の右端が、右上延伸部１１２２を形成するように、右プレート１１５を越えて右向きに延伸され、下側フレームプレート１１３の右端が、右下延伸部１１３２を形成するように、右プレート１１５を越えて右向きに延伸される。その上、左上延伸部１１２１、左下延伸部１１３１、右上延伸部１１２２および右下延伸部１１３２の各々の中に、スナップ嵌めスロット１１６が形成される。対応して、左上延伸部１１２１のスナップ嵌めスロット１１６内にスナップ嵌めされる左上クラスプ１２１、および、左下延伸部１１３１のスナップ嵌めスロット１１６内にスナップ嵌めされる左下クラスプが左カバー１２の右面上に配置され、右上延伸部１１２２のスナップ嵌めスロット１１６内にスナップ嵌めされる右上クラスプ１３１、および、右下延伸部１１３２のスナップ嵌めスロット１１６内にスナップ嵌めされる右下クラスプ１３２が右カバー１３の左面上に配置される。それゆえ、左カバー１２および右カバー１３をセパレータ１０上により簡便に配置することができる。
【００７５】
図１１に示すように、左上クラスプ１２１および左下クラスプは左カバー１２の右面上に配置することができ、右上クラスプ１３１および右下クラスプ１３２は右カバー１３の左面上に配置することができ、それによって、左上クラスプ１２１、左下クラスプ、右上クラスプ１３１および右下クラスプ１３２の構造強度が向上する。
【００７６】
代替的に、左カバー１２および右カバー１３は、前後方向において、左プレート１１４および右プレート１１５の前後方向における幅以上であり、上側フレームプレート１１２および下側フレームプレート１１３の前後方向における幅以下である幅を有する。左カバー１２および右カバー１３が、前後方向において、左プレート１１４および右プレート１１５の前後方向における幅よりも大きい幅を有するとき、左カバー１２または右カバー１３は、左プレート１１４間または右プレート１１５間の間隙を被覆することができるため、隣接するセパレータ１０の左プレート１１４間、および、隣接するセパレータ１０の右プレート１１５間に間隙が形成され得る。左カバー１２および右カバー１３が、前後方向において、左プレート１１４および右プレート１１５の前後方向における幅に等しい幅を有するとき、隣接するセパレータ１０の左プレート１１４は互いに近密に接し、隣接するセパレータ１０の右プレート１１５は互いに近密に接し、それによって、左プレート１１４、右プレート１１５、左カバー１２または右カバー１３は、電池１０１を適切に保護することができる。
【００７７】
左カバー１２および右カバー１３の安全性および信頼性の要件を満たすために、左カバー１２および右カバー１３は、ＰＰＯ（ポリフェニレンオキシド）、ＰＰ（ポリプロピレン）、ＰＥＴ（ポリエチレングリコールテレフタレート）、ＡＢＳ（アクリロニトリルブタジエンスチレン）、ＰＣ（ポリカーボネート）または内部に金属を埋め込まれているこれらの材料のような、高い強度、高い耐食性、大きい耐候性、良好な耐火性および高い絶縁性を有するエンジニアリングプラスチックおよび複合材料から作製することができる。それによって、左カバー１２および右カバー１３は高い強度、耐食性および良好な耐火性を有し、電源電池モジュール１０００に対する衝突の発生のような異常な状態において、電池１０１を効果的に保護することができる。
【００７８】
図１〜図３および図７〜図９に示すように、本開示のいくつかの実施形態において、電池収容アセンブリ１００は、前方プレート２０をさらに含む。前方プレート２０は、その後側面において後方溝２１を画定する。前方プレート２０の後方溝２１、および、複数のセパレータ１０のうちの最前方のセパレータ１０の前方収容溝１４が、最前方の電池室を画定する。前方プレート２０は最前方のセパレータ１０とスナップ嵌めされ、代替的に、前方プレート２０は、スナップ嵌め構造６０を介して最前方のセパレータ１０とスナップ嵌めされてもよい。前方プレート２０はその前側に溝を画定しなくてもよく、それによって前方プレート２０は単純な構造を有し、製造されることが容易になり、したがって、材料および空間が節約される。
【００７９】
対応して、電池収容アセンブリ１００は、後方プレート３０をさらに含む。後方プレート３０は、その前側面において前方溝を画定する。前方溝、および、複数のセパレータ１０のうちの最後方のセパレータの後方収容溝が、最後方の電池室を画定する。後方プレート３０は最後方のセパレータ１０とスナップ嵌めされ、代替的に、後方プレート３０は、上記スナップ嵌め構造６０を介して最後方のセパレータ１０とスナップ嵌めされてもよい。後方プレート３０はその後側に溝を画定しなくてもよく、それによって後方プレート３０は単純な構造を有し、製造されることが容易になり、したがって、材料および空間が節約される。本開示の一実施形態において、左カバー１２が前方プレート２０の左側に配置されてもよく、右カバー１３が前方プレート２０の右側に配置されてもよく、左カバー１２が後方プレート３０の左側に配置されてもよく、右カバー１３が後方プレート３０の右側に配置されてもよく、それによって、前方プレート２０および後方プレート３０をより良好に保護することができる。
【００８０】
本開示のいくつかの実施形態において、スナップ嵌め孔１１２３が、前方収容溝１４および後方収容溝の上壁および下壁のうちの少なくとも１つの中に配置される。本開示のいくつかの他の実施形態において、スナップ嵌め孔１１２３は、前方プレート２０の前側面および後方プレート２０の後側面のうちの少なくとも一方の中に配置される。本開示のいくつかの実施形態において、図１、図２および図１８に示すように、電池収容アセンブリ１００は、ケーブルスナップフィット２００をさらに含む。
【００８１】
ケーブルスナップフィット２００は、ケーブルまたはワイヤを締結する機能を有することができ、すなわち、電池１０１からのケーブルまたはワイヤを、ケーブルスナップフィット２００によって整然と整頓して電源収容アセンブリ１００上に収めることができ、したがって、電源電池モジュール１０００の信頼性が向上することができる。
【００８２】
本開示のいくつかの実施形態において、図１５〜図１９に示すように、ケーブルスナップフィット２００は、スナップフィット本体２１０と、スナップ嵌め部２２０とを含む。
【００８３】
スナップフィット本体２１０は実質的にアーチ形状として構成される、すなわち、スナップフィット本体２１０の幅方向において、スナップフィット本体２１０の中央部は上向きに突出しており、スナップフィット本体２１０の２つの端部分は、スナップフィット本体２１０の中央部よりも下に位置する。スナップフィット本体２１０は、スナップフィット本体２１０の長さ方向に沿ってスナップフィット本体２１０を貫通するケーブル配線チャネル２１１を画定する。ケーブル配線チャネル２１１の下端に開口部２１４が形成される。ケーブルまたはワイヤは、ケーブル配線チャネル２１１内に下から上へと挿入することができ、ケーブル配線チャネル２１１内に収容することができる。したがって、ケーブルまたはワイヤをより容易に組み立てることができる。
【００８４】
スナップ嵌め部２２０はスナップフィット本体２１０の外部に配置され、スナップフィット本体２１０をセパレータ１０に締結するために、スナップ嵌め孔１１２３内にスナップ嵌めされるように構成されているケーブルクラスプ２２１を有している。したがって、ケーブルスナップフィット２００はセパレータ本体１０上に取り外し可能に配置され、それによって、ケーブルまたはワイヤが動くのを防止することができ、構造が安定する。
【００８５】
本開示のいくつかの実施形態において、スナップ嵌め部２２０が、それぞれ開口部２１４の２つの側部に配置される。したがって、ケーブルスナップフィット２００をセパレータ１０により安定して締結することができる。本開示のいくつかの他の実施形態において、２つのスナップ嵌め部２２０が、それぞれ開口部２１４の２つの側部に、互いに対称に配置される。すなわち、スナップフィット本体２１０の幅方向において、２つのスナップ嵌め部２２０は互いに対称であり、したがって、ケーブルスナップフィット２００をセパレータ１０により安定して締結することができる。
【００８６】
本開示の実施形態によるケーブルスナップフィット２００によって、ケーブルまたはワイヤをケーブルスナップフィット２００のケーブル配線チャネル２１１内に効率的かつ簡便に配置することができ、ケーブルまたはワイヤが使用過程において動くのを防止することができ、ケーブルまたはワイヤと構造との間の摩擦を低減して、電源電池モジュール１０００の安全性能を増大することができる。その上、ケーブルクラスプ２２１を含みスナップフィット本体２１０上に配置されているスナップ嵌め部２２０によって、ケーブルスナップフィット２００は装置本体と取り外し可能に接続され、したがって、ケーブルスナップフィット２００は再使用可能であり、ケーブルスナップフィット２００を組み立ておよび分解することが容易になり、保守管理費用および時間も低減することができる。
【００８７】
本開示のいくつかの実施形態において、スナップ嵌め部２２０は、図１５、図１６および図１７に示すように、スナップフィット本体２１０と接続される第１の端部、および、ケーブルクラスプ２２１を有する第２の端部を画定し、スナップ嵌め部２２０の上端はスナップフィット本体２１０と接続され、ケーブルクラスプ２２１はスナップ嵌め部２２０の下端に配置される。したがって、ケーブルスナップフィット２００は単純な構造を有することができ、ケーブルスナップフィット２００は容易に製造することができる。
【００８８】
本開示のいくつかの実施形態において、ケーブル配線チャネル２１１は、ケーブルを収容するように構成されているケーブル収容部２１１１と、ケーブル収容部２１１１の下端に配置され、ケーブル収容部２１１１と連通する遷移部２１１２とを含む。遷移部２１１２の側方サイズはケーブル収容部２１１１の側方サイズよりも小さく、遷移部２１１２の下端は開いている。詳細には、ケーブルまたはワイヤを組み立てるとき、ケーブルまたはワイヤを遷移部２１１２の下端からケーブル収容部２１１１内に挿入することによって、ケーブルまたはワイヤはケーブル収容部２１１１内に受け入れることができる。
【００８９】
ケーブル収容部２１１１のサイズは、ケーブルまたはワイヤを収容するためにケーブルまたはワイヤのサイズに一致すべきであることが留意されるべきである。本開示のいくつかの実施形態にいて、遷移部２１１２のサイズは、ケーブルまたはワイヤのサイズよりもわずかに小さくてもよい。したがって、ケーブルまたはワイヤがケーブル収容部２１１１内に収容されると、ケーブルまたはワイヤが相対的に小さい力を受けてケーブル収容部２１１１から抜け落ちることを防止することができ、したがって、ケーブルまたはワイヤはより安定して組み立て、ケーブル収容部２１１１内に収めることができる。遷移部２１１２の幅を大きくしすぎることはできず、さもなければ、遷移部２１１２の積層機能が形成されないおそれがあり、また、遷移部２１１２の幅は小さくしすぎることはできず、さもなければ、ケーブルまたはワイヤをケーブル収容部２１１１に収容することができないことが留意されるべきである。
【００９０】
本開示のいくつかの実施形態において、ケーブル収容部２１１１の断面は、図１５、図１６および図１７に示すように、円形状として構成されている。したがって、ケーブル収容部２１１１の形状は、ケーブルまたはワイヤの形状に一致することができ、ケーブルまたはワイヤはケーブル収容部２１１１内に良好に収容することができる。本開示のいくつかの実施形態において、遷移部２１１２の断面は矩形形状として構成されており、遷移部２１１２の幅は、ケーブル収容部２１１１の直径よりも小さい。たとえば、ケーブル収容部２１１１の直径対遷移部２１１２の幅の比は１．５：１．２であってもよく、したがって、ケーブルまたはワイヤを、遷移部２１１２からケーブル収容部２１１１内に円滑かつ容易に押し込むことができる。本開示のいくつかの実施形態において、遷移部２１１２の側方サイズは上から下への方向において漸進的に低減され、したがって、ケーブルまたはワイヤをケーブル収容部２１１１内により良好に収めることができる。
【００９１】
本開示のいくつかの実施形態において、ケーブル収容部２１１２の断面は正方形形状として構成されており、遷移部２１１１の断面は、矩形形状として構成されている。したがって、遷移部２１１１の断面はより実際的な要件に適したものにすることができる。遷移部２１１１の断面はまた、ケーブルまたはワイヤの形状および組み立て要件に従って、楕円形状、多角形形状、不規則形状などとして構成することもできることが留意されるべきである。
【００９２】
本開示のいくつかの実施形態において、ケーブル収容部２１１１の側壁の内面は、平滑な表面として構成され、ケーブル収容部２１１１の縁部上にフィレットが形成される。したがって、ケーブルまたはワイヤの表面上の絶縁層が、ケーブルまたはワイヤとケーブル収容部２１１１との間の長期間にわたる摩擦に起因して摩耗することを防止することができ、したがって、安全性能が向上する。
【００９３】
本開示のいくつかの実施形態において、図１７に示すように、ケーブル配線チャネル２１１は、第１のケーブル配線チャネル２１１３と、第２のケーブル配線チャネル２１１４とを含み、スナップ嵌め部２２０は、第１のケーブル配線チャネル２１１３の側壁の外面上に配置され、第１のケーブル配線チャネル２１１３と第２のケーブル配線チャネル２１１４とは、第１のケーブル配線チャネル２１１３および第２のケーブル配線チャネル２１１４のそれぞれの延伸方向において交差する。したがって、２方向に延伸するケーブルまたはワイヤも締結することができ、したがって、ケーブルスナップフィット２００の適用範囲を拡大することができ、ケーブルまたはワイヤをより様々な方向に延伸することができる。本開示の１つの実施形態において、第１のケーブル配線チャネル２１１３は第２のケーブル配線チャネル２１１４に対して垂直であり、したがって、ケーブル配線チャネル２１１をより容易に製造することができる。
【００９４】
本開示のいくつかの実施形態において、ケーブルスナップフィット２００は、スナップ嵌め孔１１２３を介して、前方収容溝１４の上壁および下壁、ならびに、後方収容溝の上壁および下壁のうちの少なくとも１つに固定される。本開示のいくつかの他の実施形態において、ケーブルスナップフィット２００は、スナップ嵌め孔１１２３を介して、前方プレート２０の前側面および後方プレート３０の後側面のうちの少なくとも一方に固定される。本開示の１つの実施形態において、前方プレート２０の前側面および後方プレート３０の後側面に配置されているケーブルスナップフィット２００は、第１のケーブル配線チャネル２１１３および第２のケーブル配線チャネル２１１４を含む。
【００９５】
本開示のいくつかの実施形態において、長さ方向において、スナップ嵌め部２２０のサイズは、スナップフィット本体２１０のサイズよりも小さく、スナップ嵌め部２２０の端面は、スナップフィット本体２１０の端面と同一平面上にあるように構成される。したがって、材料の原価率を低減することができ、ケーブルスナップフィットは、単純かつ妥当な構造を有することができ、スナップ嵌め部２２０は装置本体に容易に固定することができる。
【００９６】
本開示のいくつかの実施形態において、スナップ嵌め部２２０は、スナップフィット本体２１０の形状と実質的に同じアーチ形状として構成され、スナップ嵌め部２２０のサイズは、幅方向と上下方向の両方において、スナップフィット本体２１０のサイズよりも大きい。すなわち、幅方向において、スナップ嵌め部２２０のサイズはスナップフィット本体２１０のサイズよりも大きく、上下方向において、スナップ嵌め部２２０のサイズはスナップフィット本体２１０のサイズよりも大きい。言い換えれば、スナップ嵌め部２２０はスナップフィット本体２１０の外部に配置され、ケーブルクラスプ２２１は、スナップ嵌め部２２０の第２の端部から幅方向において外向きに延伸する。したがって、ケーブルスナップフィット２００と装置本体との間の接続強度および安定性を向上させるために、ケーブルクラスプ２２１は、設置本体内のケーブルクラスプ溝内に外向きに挿入することができる。
【００９７】
スナップ嵌め部２２０のケーブルクラスプ２２１のサイズは、ケーブルスナップフィット２００の接続強度および安定性、ならびに、ケーブルスナップフィット２００を組み立てる簡便性を考慮に入れて設計されるべきであることが留意されるべきである。たとえば、ケーブルクラスプ２２１のサイズが小さすぎる場合、ケーブルクラスプ２２１の引く力も小さくなり、したがって、ケーブルスナップフィット２００と装置本体との間の接続強度が低くなるおそれがあり、ケーブルスナップフィット２００と装置本体との間の接続が不安定になるおそれがあり（すなわち、ケーブルクラスプ２２１が振動に起因して抜け落ちるおそれがある）、ケーブルクラスプ２２１のサイズが大きすぎる場合、ケーブルクラスプ２２１を容易に設置することができず、さらにケーブルクラスプ２２１が繰り返し組み立てられると、ケーブルクラスプ２２１が破損するおそれがある。それゆえ、本開示のいくつかの実施形態において、ケーブルスナップフィット２００との接続強度および安定性を保証するために、ケーブルクラスプ２２１の延伸長さは約１ミリメートル〜約３ミリメートルであり、したがって、ケーブルスナップフィット２００を容易に組み立て、容易に分解することができ、ケーブルスナップフィット２００は良好な強度を有し、繰り返し組み立てられた後に破損しなくなり得る。
【００９８】
図１５および図１６に示すように、本開示のいくつかの実施形態において、ケーブル配線チャネル２１１は、長さ方向において第１の端部および第２の端部を画定する。スナップ嵌め部２２０がケーブル配線チャネル２１１の第１の端部に隣接して配置され、制限フランジ２１２が、ケーブル配線チャネル２１１の第２の端部に配置される。すなわち、スナップ嵌め部２２０および制限フランジ２１２は、長さ方向においてスナップフィット本体２１０の２つの端部に配置される。制限フランジ２１２によって、ケーブルスナップフィット２００の設置安定性をさらに向上させるために、長さにおけるケーブルスナップフィット２００の自由度を制限することができる。
【００９９】
本開示のいくつかの実施形態において、複数の強化リブ２１３がスナップフィット本体２１０の外面およびスナップ嵌め部２２０の外面上に配置される。したがって、スナップフィット本体２１０およびスナップ嵌め部２２０の強度を増大させることができ、スナップフィット本体２１０およびスナップ嵌め部２２０の耐用年数を延長することができる。本開示のいくつかの実施形態において、強化リブ２１３の数は２〜６である。
【０１００】
本開示のいくつかの実施形態において、スナップフィット本体２１０とスナップ嵌め部２２０との間の接続強度を増大させるためにスナップフィット本体２１０およびスナップ嵌め部２２０は一体的に形成され、それゆえ、ケーブルスナップフィット２００は安定した構造および長い耐用年数を有することができる。詳細には、スナップフィット本体２１０およびスナップ嵌め部２２０は射出成形によって形成することができ、スナップフィット本体２１０およびスナップ嵌め部２２０が成形された後、スナップフィット本体２１０およびスナップ嵌め部２２０は直に離型することができ、それゆえ、スナップフィット本体２１０およびスナップ嵌め部２２０を製造することが容易になり、費用がより低くなる。
【０１０１】
ケーブルスナップフィット２００の強度、耐食性および耐候性を向上させるために、ケーブルスナップフィット２００は、ＰＰＯ（ポリフェニレンオキシド）、ＡＢＳ（アクリロニトリルブタジエンスチレン）、ＰＣ（ポリカーボネート）または内部に金属を埋め込まれているこれらの材料のような、高い強度、高い耐食性、大きい耐候性を有する材料から作製することができる。
【０１０２】
本開示の実施形態はまた、上記で言及した電池収容アセンブリ１００を含む電源電池モジュール１０００をも提供する。本開示の実施形態による電池収容アセンブリ１００によって、電池１０１は、電池収容アセンブリ１００の電池室内に堅固にかつ安全に固定することができる。したがって、電源電池モジュール１０００は、単純な構造、長い耐用年数および高い安全性能を有することができる。加えて、電源電池モジュール１０００は、容易に接続することができ、実際の必要性に従って自由に拡張することができる。
【０１０３】
本明細書全体を通じて「一実施形態（ａｎ  ｅｍｂｏｄｉｍｅｎｔ）」、「いくつかの実施形態（ｓｏｍｅ  ｅｍｂｏｄｉｍｅｎｔｓ）」、「１つの実施形態（ｏｎｅ  ｅｍｂｏｄｉｍｅｎｔ）」、「別の例（ａｎｏｔｈｅｒ  ｅｘａｍｐｌｅ）」、「一例（ａｎ  ｅｘａｍｐｌｅ）」、「特定の例（ａ  ｓｐｅｃｉｆｉｃ  ｅｘａｍｐｌｅ）」、または「いくつかの例（ｓｏｍｅ  ｅｘａｍｐｌｅｓ）」が参照されている場合、これは、その実施形態または例に関連して記載されている特定の特徴、構造、材料、または特性が、本開示の少なくとも１つの実施形態または例に含まれることを意味する。したがって、本明細書全体を通じた様々な箇所において「幾つかの実施形態において（ｉｎ  ｓｏｍｅ  ｅｍｂｏｄｉｍｅｎｔｓ）」、「１つの実施形態において、（ｉｎ  ｏｎｅ  ｅｍｂｏｄｉｍｅｎｔ）」、「一実施形態において（ｉｎ  ａｎ  ｅｍｂｏｄｉｍｅｎｔ）」、「別の例において（ｉｎ  ａｎｏｔｈｅｒ  ｅｘａｍｐｌｅ）」、「一例において（ｉｎ  ａｎ  ｅｘａｍｐｌｅ）」、「特定の例において（ｉｎ  ａ  ｓｐｅｃｉｆｉｃ  ｅｘａｍｐｌｅ）」、または「いくつかの例において（ｉｎ  ｓｏｍｅ  ｅｘａｍｐｌｅｓ）」のような語句が見られる場合、これは必ずしも本開示の同じ実施形態または例を参照しているとは限らない。さらに、１つもしくは複数の実施形態または例において、特定の特徴、構造、材料、または特性は、任意の適切な様式で組み合わされてもよい。
【０１０４】
例示的な実施形態が図示および説明されてきたが、上記実施形態は本開示を限定するように解釈されることはあり得ず、本開示の精神、原理および範囲から逸脱することなく実施形態に変更、代替、および修正を行うことができることが、当業者には諒解される。
【図１】
0006275266.tif 000002
【図２】
0006275266.tif 000003
【図３】
0006275266.tif 000004
【図４】
0006275266.tif 000005
【図５】
0006275266.tif 000006
【図６】
0006275266.tif 000007
【図７】
0006275266.tif 000008
【図８】
0006275266.tif 000009
【図９】
0006275266.tif 000010
【図１０】
0006275266.tif 000011
【図１１】
0006275266.tif 000012
【図１２】
0006275266.tif 000013
【図１３】
0006275266.tif 000014
【図１４】
0006275266.tif 000015
【図１５】
0006275266.tif 000016
【図１６】
0006275266.tif 000017
【図１７】
0006275266.tif 000018
【図１８】
0006275266.tif 000019
【図１９】
0006275266.tif 000020